【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
吸引開口群が該吸引開口に付属していて並んで配置されているバルブを介して真空源と接続可能である、印刷機の胴の吸引開口における真空を制御する装置において、
前記各バルブ（４）に付属している調節要素（８）を支持している調節軸（７）を含み、前記調節要素（８）は、前記調節軸（７）が回転するとき、該調節要素（８）を前記バルブ（４）に含まれる調節体（５）内で、第１の切替位置から第２の切替位置に動かすことによって前記バルブ（４）を所定の順序で作動させ、前記吸引開口（１）における真空は前記調節体（５）が前記第１の切替位置と前記第２の切替位置にあるときとで真空度が異なることを特徴とする、印刷機の胴の吸引開口における真空を制御する装置。
【請求項２】
前記調節軸（７）を所定の回転角に保持することができる固定保持装置（９）を有する、請求項１に記載の装置。
【請求項３】
前記調節軸（７）を駆動するステップ伝動装置を有する、請求項１または２記載の装置。
【請求項４】
前記ステップ伝動装置が前記胴（１４）に配置されていて、胴外部の駆動装置によって駆動される、請求項３に記載の装置。
【請求項５】
前記ステップ伝動装置が、爪車（１５）と爪（２１）とを有するステップ歯車装置として構成されている、請求項３記載の装置。
【請求項６】
第１の係合要素（１５）が前記調節軸（７）と伝動的に連結され、かつ胴（１４）に胴軸心から偏心して配置されており、
第２の結合要素（２１）が、前記第１の係合要素（１５）と前記第２の係合要素（２１）は互いに係合させることができて、前記胴（１４）が回転するときに前記胴軸心を中心に揺動させられた前記第１の係合要素（１５）が前記第２の係合要素（２１）によって作動させられるように胴外部の構成部分に配置されている、
請求項３に記載の装置。
【請求項７】
前記第１の係合要素（１５）が爪車（１５）として構成されており、前記第２の係合要素（２１）が爪（２１）として構成されている、請求項５または６に記載の装置。
【請求項８】
前記爪車（１５）が特に伝動装置を介して前記調節軸（７）と、前記胴（１４）と伝動的に作用連結され、かつ胴軸心と同軸に配置されており、前記爪（２１）が、前記爪（２１）が前記爪車（１５）と係合することができて、前記胴（１４）が回転すると、該胴と共に回転する前記爪車（１５）が前記爪（２１）によって作動させられるように胴外部の構成部分に配置されている、請求項５に記載の装置。
【請求項９】
前記第２の係合要素または前記爪（２１）を、前記第２の係合要素（２１）が前記第１の係合要素と係合することができ、もしくは前記爪（２１）が前記爪車（１５）と係合することができる、少なくとも第１の動作位置に持っていくことができる、遠隔制御可能な調節装置が設けられている、請求項６から８のいずれか１項記載の装置。
【請求項１０】
前記調節装置が、空気圧シリンダ（２０）と、少なくとも１つのレバー（１８、１９）を備えている、請求項９記載の装置。
【請求項１１】
前記バルブ（４）が中空部（２４）を含むバルブケーシング（２５）からなり、
前記調節体（５）が移動可能な弁体として構成されていて前記中空部（２４）内に配置されており、
前記吸引開口（１）と連結された少なくとも１つの導管（３）と、前記真空源と連結された少なくとも１つの導管（３１）とがオリフィス（１３）を形成して、前記中空部（２４）内に開口しており、
前記弁体は、前記第１の切替位置では少なくとも１つのオリフィス（１３）の比較的大きい面積割合または面積全体を覆い、前記第２の切替位置では、少なくとも１つのオリフィス（１３）の比較的小さい面積割合を覆うか、または、まったく覆わず、
前記弁体は前記調節要素（８）によって作動可能である、
請求項１から１０のいずれか１項に記載の装置。
【請求項１２】
前記調節要素（８）がカムとして構成されている、請求項１から１１のいずれか１項に記載の装置。
【請求項１３】
胴の吸引開口における真空を制御する、請求項１から１２のいずれか１項に記載の装置を有する印刷機。
【請求項１４】
印刷機の胴（１４）の吸引開口における真空を制御する装置、特に請求項１から１２のいずれか１項に記載の装置をステップ的に作動させる方法であって、作動装置が、前記胴（１４）に配置されていて前記装置を作動させる第１の作用要素（１５）と、胴外部に配置されている第２の作用要素（２１）とからなり、前記第１の作用要素（１５）および／または第２の作用要素（２１）は、前記胴（１４）が回転運動をするとき前記両作用要素（１５、２１）が設定された時間に協働することができる作動位置に調節可能である、印刷機の胴の吸引開口における真空を制御する装置をステップ的に作動させる方法において、
前記装置を作動させるために、
ａ）前記第１の作用要素（１５）および／または前記第２の作用要素（２１）は、前記胴（１４）が回転運動をするとき前記両作用要素（１５、２１）が設定された時間に協働することができる作動位置に入り、
ｂ）前記胴（１４）が回転して、そのとき所定の回転数の回転を行い、
ｃ）前記胴の回転に応じて前記第１の作用要素（１５）が前記第２の作用要素（２１）によって作動させられる
ことを特徴とする印刷機の胴の吸引開口における真空を制御する装置をステップ的に作動させる方法。
【手続補正２】
【補正対象書類名】明細書
【補正対象項目名】０００１
【補正方法】変更
【補正の内容】
【０００１】
【発明の属する技術分野】
本発明は、請求項１の前提項に記載の、印刷機の胴の吸引開口に生じている真空を制御する装置と、特に輪転式枚葉紙オフセット印刷機の吸着装置を有する紙送り胴における吸引空気導管を開閉する装置に関する。
【手続補正３】
【補正対象書類名】明細書
【補正対象項目名】０００２
【補正方法】変更
【補正の内容】
【０００２】
【従来の技術】
冒頭に述べた種類の装置は、２つの印刷ユニットの間に配置されている、最大紙サイズに対して設計された吸引開口列を備えた紙サイズ可変な胴上で小さい紙サイズの被印刷枚葉紙を案内することを可能にするために用いられる。その際に、小さい紙サイズの被印刷枚葉紙によって覆われていない吸引開口によって不必要な空気が吸引されるのが回避される。このように構成することによって高いエネルギー消費もしくは不都合な効率、比較的大きい不純物粒子の吸引、および印刷機の運転中に騒音が高められることが避けられる。
【手続補正４】
【補正対象書類名】明細書
【補正対象項目名】０００３
【補正方法】変更
【補正の内容】
【０００３】
ドイツ国特許出願公開４２１７８５１には、反転胴内の吸引空気を供給および遮断する装置が提案されている。この装置においては中央遮断要素として軸方向孔内に案内されている回動可能に配置された制御軸が設けられていて、制御軸は外周に配置された制御路を備えている。これらの制御路は吸引開口に開口している振動軸および横木内の垂直孔と連通している。
【手続補正５】
【補正対象書類名】明細書
【補正対象項目名】０００４
【補正方法】変更
【補正の内容】
【０００４】
この装置の欠点は、軸方向孔にエポキシ樹脂を注入する特殊な製造法、または在来型の、しかし高い精度が要求されるので非常にコストの高い製造方法が必要なことである。
【手続補正６】
【補正対象書類名】明細書
【補正対象項目名】０００５
【補正方法】変更
【補正の内容】
【０００５】
被印刷体を加工する機械で不純物、特に紙粒子が遮断装置または吸引空気制御装置に侵入することが、使用によって避けられない。このような不純物がスライドガイドや空気路内に付着すると、機能障害、たとえば挟まって動かなくなったり、操作における動作が重くなったり、直径の小さい空気路が詰まったりすることがある。この点では、たとえば上述した、製造に基づき非常に高い精度が必要な装置は特に敏感である。吸引空気制御装置内にシール部が１つしか存在しないことにより、幾つかの吸引開口によって吸引された不純物がこの重要な部分に集合することがある。とりわけ、シール部を形成している構成要素が稀にしか（紙サイズの交換の場合）相互に動かず、付着した不純物がほとんどはがれないからなおさらである。その結果として保守の間隔は短くなり、清掃や障害除去のために常に装置要素の広範な分解を必要とする。
【手続補正７】
【補正対象書類名】明細書
【補正対象項目名】０００６
【補正方法】変更
【補正の内容】
【０００６】
特開平４−１５３０３９号公報には、次のような印刷機の紙送り胴の吸着装置が記載されている。すなわち、第１の管を有しており、その壁内には外開口が穿設されている。これらの外開口は、吸引開口に通じているエアーパイプに付属している。第２の管内に配置された第１の管を回動することにより、第１の管の外開口が第２の管内の分岐エアーパイプの内開口と重なることによって、第２の管から分岐しているエアーパイプを開閉できる。この装置では、管の直径、したがってまたバルブ孔を有する外周は、構成スペースの理由で原則として任意の大きさを選択できないので、胴全幅にわたって配置された閉鎖可能な吸引開口の数は非常に制限されている。そのうえ、この装置でも汚染に起因する誤機能の問題がある。
【手続補正８】
【補正対象書類名】明細書
【補正対象項目名】０００７
【補正方法】変更
【補正の内容】
【０００７】
【発明が解決しようとする課題】
本発明の目的は、上記公知技術および従来の方法の不十分な点から出発して、安価に製造でき、保守が少なく、故障しにくい、印刷機の胴の吸引開口における真空を制御する装置を提供することである。
【手続補正９】
【補正対象書類名】明細書
【補正対象項目名】０００８
【補正方法】変更
【補正の内容】
【０００８】
【課題を解決するための手段】
本発明によれば、上記の目的は請求項１に記載されている特徴によって達成される。本発明のその他の特徴は従属請求項に記載されている。
【手続補正１０】
【補正対象書類名】明細書
【補正対象項目名】０００９
【補正方法】変更
【補正の内容】
【０００９】
印刷機の胴の吸引開口における真空を制御する装置は、吸引開口が該吸引開口に付属していて並んで配置されたバルブを介して真空源と連結可能である。この装置は調節軸を有し、この調節軸はバルブに付属している調節要素を支持しており、これらの調節要素は調節軸が回転するとバルブ内に包含されている調節体を第１の切替位置から第２の切替位置に動かすことによってバルブを所定の順序で作動させる。このとき、吸引開口に生じている真空は第１の切替位置と第２の切替位置とにおいて真空度が異なる。
【手続補正１１】
【補正対象書類名】明細書
【補正対象項目名】００１０
【補正方法】変更
【補正の内容】
【００１０】
各々のバルブは少なくとも１つの吸引開口に付属している。これらの吸引開口は真空源に接続されている。この場合、吸引開口には、たとえば胴の回転角に応じて恒常的に、または一時的に真空が生じることができる。空気流はバルブを完全に開いたり閉じたりする形で制御することができる。しかし、バルブによって、特に第３の切替位置を追加して設けることにより、空気流を絞ることもできる。バルブを作動させる順序は、装置を製造するときに決めることができる。しかしまた、各々の調節要素が幾つかの回転角で調節軸上に固定可能で、常にバルブ操作の順序の変更が可能であるようにすることもできる。調節体は、バルブケーシング内部の、空気流を変化させる弁体、もしくは閉鎖要素として形成することができる。。調節体をバルブケーシング外部の、空気流を直接遮断したり、絞ったりしない構成要素として形成し、この構成要素が調節要素によって第１の切替位置から第２の切替位置に移動し、たとえば回転、揺動または直線的に摺動し、これが直接に、または中間要素例えばレバーまたは軸を介して、バルブケーシング内部の弁体を動かすようにすることができる。
【手続補正１２】
【補正対象書類名】明細書
【補正対象項目名】００１１
【補正方法】変更
【補正の内容】
【００１１】
本発明の本質的な利点は、特殊な応用上の必要に適応可能性が大きいことである。この装置は、本質的な構造上の変更なしに種々の機械系に組み込むことができる。調節要素を調節軸上に選択的に固定することによって、バルブの作動および真空源と吸引開口の分離または結合の、応用に基づく順序を変えることができる。したがって例えば、吸引開口列の吸引開口を、列の一端から始めて他端に向かってステップ的に遮断したり、吸引開口列の両端から始めて吸引開口を１対ずつ遮断したり、吸引開口列の２つ目、３つ目などの吸引開口の作動を停止したり、面状、またはマトリクス状に延びる吸引開口配置の特定の位置の吸引開口を開閉したりするようにすることができる。本発明の装置では、はめ合い精度の高い複雑な中央の閉鎖要素の代わりに、幾つかの簡単な分散的な閉鎖要素が設けられているので、安価な製造が可能である。装置の故障しやすさが少なく、保守の時間間隔を大きく選択することができ、保守は容易に問題なく実施することができる。個々のバルブが詰まった場合には、迅速に故障を取り除くことができ、系全体を分解する必要はない。バルブの好ましい構成において弁体を取り出すことができるので、清掃したバルブ内部に容易に手入れをすることができる。装置を動作するのは手動で可能であるが、好ましくは、たとえばサーボモーターもしくはステップモーターによる、あるいは以下に説明する方法による自動操作が設けられることもできる。
【手続補正１３】
【補正対象書類名】明細書
【補正対象項目名】００１２
【補正方法】変更
【補正の内容】
【００１２】
本発明の装置の用途は大きい。この装置は印刷機および被印刷体を加工する機械に組み込むことができ、ロール状および枚葉紙状の被印刷体の加工に応用できる。全プロセスの内部でこの装置は本来印刷の前に位置する機械、たとえば自動給紙機や、印刷の後に配置された二次加工機械、たとえば折りたたみ機に組み込まれることができる。上記の本発明の用途について記述された事柄は、以下に述べる装置を作動させる方法に関しても同様に該当する。
【手続補正１４】
【補正対象書類名】明細書
【補正対象項目名】００１３
【補正方法】変更
【補正の内容】
【００１３】
本発明の装置は圧縮空気流の制御にも使用することができる。このために真空源の代わりに過圧源を設ける。幾つかの供給源を設けることができる。たとえば開口部に圧縮空気および吸引空気を時間的および場所的に交互に負荷し、または、時間的または場所的に交互に負荷することができる。１つの開口部に幾つかのバルブを付属させることができ、開口部を選択的に種々の供給源と連結させることができる。
【手続補正１５】
【補正対象書類名】明細書
【補正対象項目名】００１４
【補正方法】変更
【補正の内容】
【００１４】
作動装置は、胴に配置されていてこの装置を駆動する第１の作用要素と、胴外部に配置されている第２の作用要素とからなり、第１の作用要素および／または第２の作用要素は、胴が回転運動をするとき作用要素が設定された時間(zeitweise)に協働できる運転位置で調節可能であるように装置をステップ的に作動させることが有利である。第１のステップでは、第１の作用要素または第２の作用要素は、胴が回転運動をするとき作用要素が設定された時間に協働できる運転位置に入る。これに続く第２のステップでは、胴が回転し、しかも所定の数の回転を行う。第３のステップは、胴回転に応じて第１の作用要素が第２の作用要素によって操作される。これらのステップを実施した後に、第１の作用要素および第２の作用要素の双方または一方は再び初期位置に復帰することができる。
【手続補正１６】
【補正対象書類名】明細書
【補正対象項目名】００１５
【補正方法】変更
【補正の内容】
【００１５】
第１の係合要素は調節軸と伝動的に連結されているか、または連結可能であり、第２の作用要素は印刷機側壁に配置されることができる。作用要素の協働は機械的に、作用要素が互いに係合することによって行うことができる。非機械的な仕方での協働を行うこともできる。たとえば作用要素の間で磁力が作用できるようにすると、第２の作用要素によって第１の作用要素を非接触に作動させることが可能である。胴の回転は人手で、中央機械的駆動手段または機械アセンブリに付属した分散的駆動手段、たとえば印刷ユニットの個別駆動手段によって行うことができる。胴は選択的に、かつ、交互に種々の回転方向に回転させることができる。